(57)【要約】      （修正有）【課題】狭いスペースであっても、布団からの着脱を容易に行える寝具カバーを提供する。上生地および下生地の一方に対し他方を交換可能な寝具カバーを提供する。【解決手段】布団カバー１は、矩形状の上生地２と、矩形状の下生地３と、上生地２および下生地３の４辺の全周を開閉可能に接合する線ファスナ４とを含む。上生地２および下生地３の４辺を線ファスナ４によって開放することにより、上生地２および下生地３が互いに分離される。線ファスナ４が、上生地２の４辺の全周に亘って延びる上エレメント７Ａと、下生地３の４辺の全周に亘って延びる下エレメント７Ｂと、上エレメント７Ａおよび下エレメント７Ｂの双方と係合可能なスライダとを含む。【選択図】図２
2020036830.tif 000002
【特許請求の範囲】
【請求項１】
矩形状の上生地と、
矩形状の下生地と、
前記上生地および前記下生地の４辺を開閉可能に接合する接合手段とを含み、
前記上生地および前記下生地の前記４辺を前記接合手段によって開放することにより、前記上生地および前記下生地が互いに分離されることを特徴とする、寝具カバー。
【請求項２】
前記接合手段が、前記上生地および前記下生地の４辺の全周を開閉可能に接合する線ファスナを含むことを特徴とする、請求項１記載の寝具カバー。
【請求項３】
前記線ファスナが、前記上生地および前記下生地の４辺の全周に亘って設けられた１つの線ファスナであることを特徴とする、請求項２に記載の寝具カバー。
【請求項４】
前記線ファスナが、
前記上生地および前記下生地の４辺のうち、互いに隣接する２辺の全域に亘って設けられた第１の線ファスナと、
前記上生地および前記下生地の４辺のうち、前記隣接する２辺を除いた残りの２辺の全域に亘って設けられた第２の線ファスナとを含むことを特徴とする、請求項２に記載の寝具カバー。
【請求項５】
前記上生地および前記下生地の、少なくとも一方の短辺には、前記線ファスナを被覆するための被覆部が設けられていることを特徴とする、請求項２〜４のいずれか一項に記載の寝具カバー。
【発明の詳細な説明】
【技術分野】
【０００１】
この発明は、寝具の周囲を覆う寝具カバーに関する。この寝具カバーによって覆われる寝具は、掛け布団や、敷き布団、枕を含む。
【背景技術】
【０００２】
従来から、特許文献１に示すように、上生地および下生地を含む矩形の袋状の布団カバーにおいて、周辺４辺のうち１つの長辺に線ファスナを配置して、当該長辺を開放可能とし、他の３辺を縫合によって封止したものが知られている。また、布団カバーの内側には、結合紐が配置されている。布団カバーを布団に装着する際には、線ファスナを開いて長辺に開口を設け、その開口から、布団カバーの内部に布団を入れる。その後、布団カバーに対して布団が動かないように（ずれ防止）、結合紐を布団に結び付ける。その後、線ファスナを閉じる。
【０００３】
また、特許文献２に示すように、矩形の布団カバーにおいて、１つの短辺を除く３辺に線ファスナを配置して開閉可能にし、この３辺を開いた状態で、布団を出し入れするものも知られている。
【先行技術文献】
【特許文献】
【０００４】
【特許文献１】実登３０８９５５６号公報
【特許文献２】特開２００３−３８３２２号公報
【発明の概要】
【発明が解決しようとする課題】
【０００５】
特許文献１では布団カバーの３辺が、特許文献２では布団カバーの１辺が、それぞれ縫合により封止されている。すなわち、特許文献１および特許文献２では、上生地および下生地が分離不能に設けられている。上生地および下生地の組み合わせは、色および／または模様の観点から製造者や販売者が指定する。
しかしながら、製造者や販売者が用意する上生地および下生地の組み合わせのバリエーションは、せいぜい数パターンである。これでは、多くの購入者（利用者）のニーズを満たすことはできない。
【０００６】
また、上生地および下生地が分離不能であるため一括して洗濯する必要があるから、上生地および下生地の組み合わせは、洗濯縮み等の観点から、素材の組み合わせに大きな制約がある。
そのため、従来から、上生地および下生地の一方に対し他方を交換可能な寝具カバー（布団カバー）が望まれていた。
【０００７】
そこで、この発明の一の目的は、かつ上生地および下生地の一方に対し他方を交換可能な寝具カバーを提供することである。
また、特許文献１に係る布団カバーでは、布団カバーの１辺（長辺）にのみしか開口が形成されないので、開口と反対側の長辺２つの隅部に布団の角部を押し入れることに手間が掛かっていた。また、結合紐の場所を間違えるおそれもあり、これも手間がかかる要因になっていた。これらにより、布団カバーに対する布団の出し入れ、すなわち布団カバーの着脱を容易に（迅速に）行うことはできなかった。
【０００８】
また、特許文献２に係る布団カバーでは、３辺に亘って設けられた線ファスナを開くことにより、封止されている１辺を中心としたに３辺で大きく開放させることができる。この場合、上生地や下生地が皺にならないためには、上生地や下生地をそれぞれ面状に広げた状態で、布団の出し入れを行う必要がある。しかしながら、上生地および下生地のそれぞれを面状に広げるためには広いスペースを必要する。スペースが狭い場合には、寝具カバー（布団カバー）に対する布団の出し入れ、すなわち寝具カバーの着脱を容易に（迅速に）行うことができなかった。
【０００９】
そこで、この発明の他の目的は、狭いスペースであっても、布団からの着脱を容易に行える寝具カバーを提供することである。
【課題を解決するための手段】
【００１０】
前記の目的を達成するための請求項１に記載の発明は、矩形状の上生地と、矩形状の下生地と、前記上生地および前記下生地の４辺を開閉可能に接合する接合手段とを含み、前記上生地および前記下生地の前記４辺を前記接合手段によって開放することにより、前記上生地および前記下生地が互いに分離されることを特徴とする、寝具カバーを提供する。
請求項２に記載の発明は、前記接合手段が、前記上生地および前記下生地の周辺の４辺の全周を開閉可能に接合する線ファスナを含むことを特徴とする、請求項１記載の寝具カバーである。
【００１１】
請求項３に記載の発明は、前記線ファスナが、前記上生地および前記下生地の４辺の全周に亘って設けられた１つの線ファスナであることを特徴とする、請求項２に記載の寝具カバーである。
請求項４に記載の発明は、前記線ファスナが、前記上生地および前記下生地の４辺のうち、互いに隣接する２辺の全域に亘って設けられた第１の線ファスナと、前記上生地および前記下生地の４辺のうち、前記隣接する２辺を除いた残りの２辺の全域に亘って設けられた第２の線ファスナとを含むことを特徴とする、請求項２に記載の寝具カバーである。
【００１２】
請求項５に記載の発明は、前記上生地および前記下生地の、少なくとも一方の短辺には、前記線ファスナを被覆するための被覆部が設けられていることを特徴とする、請求項２〜４のいずれか一項に記載の寝具カバーである。
【発明の効果】
【００１３】
請求項１記載の構成によれば、上生地および下生地の４辺が接合手段によって開閉可能に接合されている。そして、接合手段によってこの４辺を開放することにより、上生地および下生地が互いに分離される。上生地および下生地が互いに分離可能であるので、上生地および下生地の一方に対し他方を交換できる。ゆえに、布団からの着脱を容易に行うことができ、かつ上生地および下生地の一方に対し他方を交換可能な寝具カバーを提供できる。
【００１４】
また、上生地および下生地を互いに分離した状態で布団に着脱できるので、狭いスペースであっても、布団からの着脱を容易に行える。
請求項２に記載の構成によれば、上生地および下生地の４辺の全周が、線ファスナによって開閉可能に留められている。そして、この４辺を線ファスナによって開放することにより、上生地および下生地が互いに分離される。
【００１５】
請求項３記載の構成によれば、線ファスナが１つのみで足りるので、これらの対を複数設ける場合と比較して安価に実現できる。
請求項４記載の構成によれば、第１の線ファスナの開閉操作と、第２の線ファスナの開閉操作とを同時に行う。これにより、布団からの着脱を、より一層短時間のうちに行うことが可能である。
【００１６】
請求項５記載の構成によれば、短辺に被覆部が設けられているので、線ファスナが利用者の顔や首に当たることを回避できる。また、寝具カバーの外側から線ファスナが見えないので、寝具カバーの見栄えを良くできる。
【図面の簡単な説明】
【００１７】
【図１】この発明の第１の実施形態に係る寝具カバーが適用された布団カバーの平面図である。
【図２】前記布団カバーの分離状態を示す斜視図である。
【図３】図１を矢視IIIから見た図である。
【図４】上生地および下生地を、矢視IVから見た図である。
【図５】この発明の第２の実施形態に係る寝具カバーが適用された布団カバーの平面図である。
【図６】この発明の変形例に係る布団カバーの平面図である。
【発明を実施するための形態】
【００１８】
以下では、この発明の実施の形態を、添付図面を参照して詳細に説明する。
図１は、この発明の第１の実施形態に係る寝具カバーが適用された布団カバー１の平面図である。図２は、布団カバー１の分離状態を示す斜視図である。図３は、図１を矢視IIIから見た図である。図４は、上生地２および下生地３を、矢視IVから見た図である。図１では、線ファスナ４の全域を閉じた状態を示している。図３では、被覆部１０（上被覆部１０Ａおよび下被覆部１０Ｂ）を省略した状態を示している。図４では、上生地２および下生地３を互いに分離した状態を示している。
【００１９】
布団カバー１は、掛け布団の周囲を覆う掛けカバー、または敷き布団の周囲を覆う敷きカバーである。布団カバー１は、矩形状の上生地２と、矩形状の下生地３と、上生地２の４辺２ａ，２ｂ，２ｃ，２ｄおよび下生地３の周辺の４辺３ａ，３ｂ，３ｃ，３ｄの全周に亘って設けられた１つの線ファスナ（接合手段）４と、複数の結合紐５とを含む。線ファスナ４は、開閉可能に設けられている。線ファスナ４を全て閉じた状態では、上生地２の４辺２ａ，２ｂ，２ｃ，２ｄと下生地３の４辺３ａ，３ｂ，３ｃ，３ｄとが線ファスナ４で接合され、上生地２および下生地３によって、袋状のカバー本体が形成される。一方、線ファスナ４を全て開いた状態では、矩形袋状のカバー本体の４辺が開放され、上生地２および下生地３が互いに分離される。
【００２０】
線ファスナ４は、上生地２の４辺２ａ，２ｂ，２ｃ，２ｄの全周に亘って延びる上テープ６Ａ（図３および図４参照）および上エレメント７Ａと、下生地３の４辺３ａ，３ｂ，３ｃ，３ｄの全周に亘って延びる下テープ６Ｂ（図３および図４参照）および下エレメント７Ｂと、上エレメント７Ａおよび下エレメント７Ｂの双方に係合可能に設けられた１つのスライダ（図３および図４参照）８と、スライダ８に取り付けられた引き手９とを含む。互いに一体的に設けられた上テープ６Ａおよび上エレメント７Ａが、上生地２の４辺２ａ，２ｂ，２ｃ，２ｄの全周に亘って縫合により接続されている。互いに一体的に設けられた下テープ６Ｂおよび下エレメント７Ｂが、下生地３の４辺３ａ，３ｂ，３ｃ，３ｄの全周に亘って縫合により接続されている。線ファスナ４のスライダ８の始点および終点は、カバー本体の１つの隅部１ｅである。
【００２１】
具体的には、上テープ６Ａの一端６Ａａ（図３参照）が、４辺２ａ，２ｂ，２ｃ，２ｄを周回して上テープ６Ａの他端６Ａｂ（図３参照）に接続されている。下テープ６Ｂの一端６Ｂａ（図３参照）が、４辺３ａ，３ｂ，３ｃ，３ｄを周回して下テープ６Ｂの他端６Ｂｂ（図３参照）に接続されている。スライダ８は、たとえば上エレメント７Ａに予め嵌められている。
【００２２】
上生地２の周縁部および下生地３の周縁部には、それぞれ、線ファスナ４を被覆する被覆部１０（図４参照）が設けられている。具体的には、被覆部１０は、上生地２の４辺２ａ，２ｂ，２ｃ，２ｄに設けられた上被覆部１０Ａと、下生地３の４辺３ａ，３ｂ，３ｃ，３ｄに設けられた下被覆部１０Ｂとを含む。
上被覆部１０Ａは、上テープ６Ａの根元位置（縫着位置）から外側に所定量Ｗａ（たとえば、約１０〜約１５ｍｍ）張り出している。上被覆部１０Ａは、上生地２の４辺２ａ，２ｂ，２ｃ，２ｄ全周に設けられている。上被覆部１０Ａは、折返しにより設けられている。
【００２３】
下被覆部１０Ｂは、下テープ６Ｂの根元位置（縫着位置）から外側に所定量Ｗｂ（たとえば、約１０〜約１５ｍｍ）張り出している。下被覆部１０Ｂは、下生地３の４辺３ａ，３ｂ，３ｃ，３ｄ全周に設けられている。上被覆部１０Ｂは、折返しにより設けられている。
張出し量Ｗａは、上テープ６Ａおよび上エレメント７Ａからなる線ファスナ４の上部分の幅Ｗ１よりも大きい。張出し量Ｗｂは、下テープ６Ｂおよび下エレメント７Ｂからなる線ファスナ４の下部分の幅Ｗ２よりも大きい。そのため、上生地２と下生地３とを線ファスナ４によって接合した状態で、線ファスナ４は、被覆部１０によって被覆されている。
【００２４】
短辺２ｃ，３ｃに被覆部１０が設けられているので、線ファスナ４が、就寝している利用者の顔や首に当たることを回避できる。また、布団カバー１の外側から線ファスナ４が見えない。線ファスナ４を隠せるので、布団カバー１の見栄えを良くできる。
図１に示すように、複数の結合紐５は、布団カバー１内に収容される布団（図示しない）と連結するための紐である。この実施形態では、結合紐５は、布団カバー１の４隅部１ｅ，１ｆ，１ｇ，１ｈの内側と、布団カバー１の４辺の適宜辺の適宜箇所の内側とのそれぞれに配置されている。図１の例では、布団カバー１の４辺のうち各長辺の中央部に結合紐５が配置されている。布団カバー１のサイズによっては、４辺の各辺の中央部にも結合紐５が配置されていてもよい。また、図１の例では、結合紐５が下生地３に設けられている。しかしながら、結合紐５が上生地２に設けられていてもよいし、結合紐５が上生地２と下生地３との双方に設けられていてもよい。また、結合紐５に代えて、面ファスナやボタン、ホックなどの係合部材が用いられてもよい。また、図１の例では、各結合紐５が線ファスナ４のテープ（すなわち、下テープ６Ｂ（図３および図４参照））に直接取り付けられている
このような布団カバー１は、線ファスナ４を全て開いた状態では、上生地２の４辺２ａ，２ｂ，２ｃ，２ｄおよび下生地３の４辺３ａ，３ｂ，３ｃ，３ｄが開放され、上生地２および下生地３が互いに分離される。
【００２５】
布団カバー１に布団（図示しない）を入れる（布団カバー１の布団への装着の）作業の説明をする。この作業の際には、作業者は、床やベッドのマットレスの上に下生地３を敷き、下生地３の上に布団を載置する。そして、布団の４辺と、下生地３の４辺３ａ，３ｂ，３ｃ，３ｄとをそれぞれ揃え、下生地３に設けられている結合紐５を布団に結び付ける。これにより、下生地３と布団との結合が達成される。
【００２６】
下生地３と結合後の布団の上に上生地２を被せ、上生地２の２ａ，２ｂ，２ｃ，２ｄと下生地３の４辺３ａ，３ｂ，３ｃ，３ｄとの各々を揃える。その状態で、作業者が、線ファスナ４を閉じる。具体的には、作業者は、上エレメント７Ａおよび下エレメント７Ｂの一方（たとえば上エレメント７Ａ）にのみ嵌合しているスライダ８を、上エレメント７Ａおよび下エレメント７Ｂの他方（たとえば下エレメント７Ｂ）にも係合させ、その後、引き手９を操作することにより、スライダ８を４辺の全周に亘って移動させる。線ファスナ４が全て閉じられることにより、上生地２の２ａ，２ｂ，２ｃ，２ｄおよび下生地３の４辺３ａ，３ｂ，３ｃ，３ｄが線ファスナ４で接合される。これにより、布団カバー１の布団への挿入が完了する。
【００２７】
また、布団カバー１から布団を出す（布団カバー１の布団からの離脱の）際には、線ファスナ４を全て開く。これにより、上生地２と下生地３とが分離可能になる。そして、布団および下生地３から上生地２を取り外す。また、作業者は、下生地３と布団とを結んでいた結合紐５を外し、下生地３を布団から取り外す。これにより、布団カバー１の布団からの取出しが完了する。上生地２および下生地３を互いに分離した状態で布団に着脱できるので、スペースの広狭によらずに、布団カバー１の布団からの取出しを容易に行える。
【００２８】
とくに、上生地２および下生地３を互いに分離した状態で布団カバー１の隅部に布団の角部を合わせ、また、この分離状態で結合紐５を布団に結び付けるため、これらの作業にかかる手間を格段に低減できる。ゆえに、布団カバー１からの布団の出し入れを極めて短時間（たとえば、特許文献１に比べて約１/２程度の時間）で行える。
また、前述のように、上生地２および下生地３が互いに分離可能である。そのため、上生地２と下生地３とを互いに交換できる。
【００２９】
販売されている布団カバー１に含まれる一組の上生地２および下生地３は、色やデザインが互いに関連するように、製造者や販売者が定めたものである。このとき、上生地２および下生地３の一方を、上生地２および下生地３の他方とは、色および／またはデザインの異なる生地に交換することにより、上生地２および下生地３の、色やデザインの組み合わせを利用者自身が決めることができる。
【００３０】
販売されている布団カバー１に含まれる一組の上生地２および下生地３は、素材が共通していることが多い。上生地２および下生地３の素材として、綿、麻、絹、合成繊維（ポリエステル、ナイロン、アクリル、ポリウレタン）、ならびに綿、麻および絹と合成繊維との混紡等が考えられる。上生地２および下生地３の一方を、上生地２および下生地３の他方とは、異なる素材に交換することにより、上生地２および下生地３の素材の組み合わせを利用者自身が決めることができる。
【００３１】
具体的には、収縮度合いの異なる素材に交換することができる。素材に適した洗濯方法が異なることから、上生地２および下生地３とが分離不能であると、上生地と下生地との組み合わせは、収縮度合いの同じ組み合わせに限られる。しかしながら、布団カバー１では上生地２および下生地３を互いに分離した状態で洗濯できるので、上生地２および下生地３の一方を、上生地２および下生地３の他方とは、収縮度合いの異なる素材に交換することもできる。
【００３２】
また、上生地２および下生地３の一方を夏冬共用としながら、上生地２および下生地３の他方を、夏用および冬用に交換することにより、布団カバー１を夏用と冬用とで一部共用することもできる。
以上によりこの実施形態によれば、上生地２および下生地３の一方に対し他方を交換可能であり、布団からの着脱を容易に行うことができる布団カバー１を提供できる。
＜第２の実施形態＞
図５は、この発明の第２の実施形態に係る寝具カバーが適用された布団カバー２０１の平面図である。
【００３３】
この第２の実施形態において、前述の第１の実施形態と共通する部分には、図１〜図４の場合と同一の参照符号を付し説明を省略する。
第２の実施形態に係る布団カバー２０１が、第１の実施形態に係る布団カバー１と相違する点は、上生地２の２ａ，２ｂ，２ｃ，２ｄおよび下生地３の４辺３ａ，３ｂ，３ｃ，３ｄの全周を、２つの線ファスナ２０４，２１４によって開閉するようにした点である。
【００３４】
布団カバー２０１は、上生地２と、下生地３と、上生地２および下生地３の４辺のうち２辺２ａ，２ｂ，３ａ，３ｂの全域に亘って設けられた第１の線ファスナ（接合手段）２０４と、上生地２および下生地３の４辺のうち残りの２辺２ｃ，２ｄ，３ｃ，３ｄの全域に亘って設けられた第２の線ファスナ（接合手段）２１４とを含む。
第１の線ファスナ２０４は、開閉可能に設けられている。第１の線ファスナ２０４を全て閉じ、かつ第２の線ファスナ２１４を全て閉じた状態では、上生地２の２ａ，２ｂ，２ｃ，２ｄと下生地３の４辺３ａ，３ｂ，３ｃ，３ｄとが、第１の線ファスナ２０４および第２の線ファスナ２１４で接合され、上生地２および下生地３によって、袋状のカバー本体が形成される。一方、第１の線ファスナ２０４を全て開き、かつ第２の線ファスナ２１４を全て開いた状態では、上生地２の４辺２ａ，２ｂ，２ｃ，２ｄおよび下生地３の４辺３ａ，３ｂ，３ｃ，３ｄが開放され、上生地２および下生地３が互いに分離される。
【００３５】
第１の線ファスナ２０４が、上生地２の４辺２ａ，２ｂ，２ｃ，２ｄのうち隣接する２辺２ａ，２ｂの全域に亘って延びる第１の上テープ２０６Ａ（図３に括弧書きで示す）および第１の上エレメント２０７Ａ（図３に括弧書きで示す）と、下生地３の４辺３ａ，３ｂ，３ｃ，３ｄのうち、隣接する２辺２ａ，２ｂに対応する２辺３ａ，３ｂの全域に亘って延びる第１の下テープ２０６Ｂ（図３に括弧書きで示す）および第１の下エレメント２０７Ｂ（図３に括弧書きで示す）と、第１の上エレメント２０７Ａおよび第１の下エレメント２０７Ｂの双方と係合可能な第１のスライダ２０８（図３に括弧書きで示す）と、第１のスライダ２０８に取り付けられた第１の引き手２０９とを含む。
【００３６】
互いに一体的に設けられた第１の上テープ２０６Ａおよび第１の上エレメント２０７Ａが、上生地２の２辺２ａ，２ｂの全域に亘って縫合により配置されている。互いに一体的に設けられた第１の下テープ２０６Ｂおよび第１の下エレメント２０７Ｂが、下生地３の２辺３ａ，３ｂの全域に亘って縫合により配置されている。第１の線ファスナ２０４の始点は、カバー本体の１つの隅部１ｅであり、第１の線ファスナ２０４の終点は、隅部１ｅの対角となる隅部１ｇである。
【００３７】
第２の線ファスナ２１４が、上生地２の４辺２ａ，２ｂ，２ｃ，２ｄのうち残りの２辺２ｃ，２ｄの全域に亘って延びる第２の上テープ２１６Ａ（図３に括弧書きで示す）および第２の上エレメント２１７Ａ（図３に括弧書きで示す）と、下生地３の４辺３ａ，３ｂ，３ｃ，３ｄのうち、残りの２辺２ｃ，２ｄに対応する２辺３ｃ，３ｄの全域に亘って延びる第２の下テープ２１６Ｂ（図３に括弧書きで示す）第２の下エレメント２１７Ｂ（図３に括弧書きで示す）と、第２の上エレメント２１７Ａおよび第２の下エレメント２１７Ｂの双方と係合可能な第２のスライダ２１８（図３に括弧書きで示す）と、第２のスライダ２１８に取り付けられた第２の引き手２１９とを含む。
【００３８】
互いに一体的に設けられた第２の上テープ２１６Ａおよび第２の上エレメント２１７Ａが、上生地２の２辺２ｃ，２ｄの全域に亘って縫合により配置されている。第２の下テープ２１６Ｂおよび第２の下エレメント２１７Ｂが、下生地３の２辺３ｃ，３ｄの全域に亘って縫合により配置されている。第１の線ファスナ２０４の始点は、カバー本体の１つの隅部１ｅであり、第１の線ファスナ２０４の終点は、隅部１ｅの対角となる隅部１ｇである。
【００３９】
第１の上テープ２０６Ａの一端が、第２の上テープ２１６Ａの他端に接続されている。第２の上テープ２１６Ａの一端が、第１の上テープ２０６Ａの他端に接続されている。第１の下テープ２０６Ｂの一端が、第２の下テープ２１６Ｂの他端に接続されている。第２の下テープ２１６Ｂの一端が、第１の下テープ２０６Ｂの他端に接続されている。第１のスライダ２０８は、第１の上エレメント２０７Ａおよび第１の下エレメント２０７Ｂの一方（たとえば第１の上エレメント２０７Ａ）に予め嵌められている。第２のスライダ２１８は、第２の上エレメント２１７Ａおよび第２の下エレメント２１７Ｂの一方（たとえば第２の上エレメント２１７Ａ）に予め嵌められている。
【００４０】
この第２の実施形態によれば、第１の実施形態で述べた作用効果に加えて、次の作用効果を奏する。
第１の線ファスナ２０４の開閉操作と、第２の線ファスナの開閉操作とを同時に行う。具体的には、２人で１つずつ線ファスナ２０４，２１４を開閉操作する。これにより、布団カバー２０１の布団からの着脱を、より一層短時間のうちに行える。
＜変形例＞
以上、この発明の２つの実施形態について説明したが、本発明はさらの他の形態で実施することもできる。
【００４１】
たとえば、第１の実施形態において、線ファスナ４のスライダ８の始点および終点を、カバー本体の１つの隅部１ｅとしたが、線ファスナ４のスライダの始点および終点を、他の隅部１ｆ，１ｇ，１ｈとしてもよい。
同様に、第２の実施形態において、第１の線ファスナ２０４および第２の線ファスナ２１４の始点および終点を、それぞれ隅部１ｅ，１ｇとしたが、線ファスナ４のスライダ８の始点および終点を、それぞれ他の隅部１ｆ，１ｈとしてもよい。
【００４２】
また、図６に示すように、線ファスナ４のスライダ８の始点および終点を、上生地２および下生地３の隅部ではなく、カバー本体の辺、すなわち、上生地２および下生地３の４辺のいずれかの途中部としてもよい。
同様に、第２の実施形態において、第１の線ファスナ２０４および第２の線ファスナ２１４の始点および終点を、上生地２および下生地３の隅部ではなく、カバー本体の辺、すなわち、上生地２および下生地３の４辺のいずれかの途中部としてもよい。
【００４３】
また、上記の各実施形態においては接合手段として線ファスナを使用したが、第１の実施形態の線ファスナ４や、第２の実施形態の第１の線ファスナ２０４および／または第２の線ファスナ２１４に代えて、面ファスナやボタン、ホックなどの係合部材による接合手段を使用してもよい。
また、被覆部１０は、上生地２および下生地３の全周ではなく、短辺２ｃ，３ｃ（使用時に利用者の顔に近い側の短辺）に少なくとも設けられていれば足りる。
【００４４】
また、被覆部１０として、上生地２および下生地３の双方ではなく、上生地２および下生地３の一方にのみ設けられていてもよい。また、被覆部１０を廃止してもよい。
また、本発明に係る寝具カバーは、布団カバーに限られず、枕の周囲を覆う枕カバーにも適用できる。
その他、特許請求の範囲に記載された事項の範囲で種々の設計変更を施すことが可能で
ある。
【符号の説明】
【００４５】
１        ：寝具カバー（布団カバー）
２        ：上生地
３        ：下生地
４        ：線ファスナ（接合手段）
８        ：スライダ
９        ：引き手
１０      ：被覆部
２０１    ：寝具カバー（布団カバー）
２０４    ：第１の線ファスナ
２０８    ：第１のスライダ
２１４    ：第２の線ファスナ
２１８    ：第２のスライダ
【図１】
2020036830.tif 000003
【図２】
2020036830.tif 000004
【図３】
2020036830.tif 000005
【図４】
2020036830.tif 000006
【図５】
2020036830.tif 000007
【図６】
2020036830.tif 000008
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
矩形状の上生地と、
平面視で前記上生地と同サイズの矩形状の下生地と、
前記上生地および前記下生地の４辺を開閉可能に接合する接合手段であって、前記上生地および前記下生地の４辺の全周を開閉可能に接合する線ファスナとを含み、
前記線ファスナが、
前記上生地および前記下生地の４辺のうち、互いに隣接する２辺の全域に亘って設けられた第１の線ファスナと、
前記上生地および前記下生地の４辺のうち、前記隣接する２辺を除いた残りの２辺の全域に亘って設けられた第２の線ファスナとを含み、
前記第１の線ファスナの始点および前記第２の線ファスナの始点が、前記上生地および前記下生地に関し対角位置に設けられており、
前記上生地および前記下生地の前記４辺を前記第１の線ファスナおよび前記第２の線ファスナによって開放することにより、前記上生地および前記下生地が互いに分離されることを特徴とする、寝具カバー。
【請求項２】
前記上生地および前記下生地の、少なくとも一方の短辺には、前記線ファスナを被覆するための被覆部が設けられていることを特徴とする、請求項１に記載の寝具カバー。
【手続補正２】
【補正対象書類名】明細書
【補正対象項目名】００１０
【補正方法】変更
【補正の内容】
【００１０】
前記の目的を達成するための請求項１に記載の発明は、矩形状の上生地と、平面視で前記上生地と同サイズの矩形状の下生地と、前記上生地および前記下生地の４辺を開閉可能に接合する接合手段であって、前記上生地および前記下生地の４辺の全周を開閉可能に接合する線ファスナとを含み、前記線ファスナが、前記上生地および前記下生地の４辺のうち、互いに隣接する２辺の全域に亘って設けられた第１の線ファスナと、前記上生地および前記下生地の４辺のうち、前記隣接する２辺を除いた残りの２辺の全域に亘って設けられた第２の線ファスナとを含み、前記第１の線ファスナの始点および前記第２の線ファスナの始点が、前記上生地および前記下生地に関し対角位置に設けられており、前記上生地および前記下生地の前記４辺を前記第１の線ファスナおよび前記第２の線ファスナによって開放することにより、前記上生地および前記下生地が互いに分離されることを特徴とする、寝具カバーを提供する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２に記載の発明は、前記上生地および前記下生地の、少なくとも一方の短辺には、前記線ファスナを被覆するための被覆部が設けられていることを特徴とする、請求項１に記載の寝具カバーである。
【手続補正５】
【補正対象書類名】明細書
【補正対象項目名】００１３
【補正方法】変更
【補正の内容】
【００１３】
請求項１記載の構成によれば、上生地および下生地の４辺が線ファスナによって開閉可能に接合されている。そして、線ファスナによってこの４辺を開放することにより、上生地および下生地が互いに分離される。上生地および下生地が互いに分離可能であるので、上生地および下生地の一方に対し他方を交換できる。ゆえに、寝具からの着脱を容易に行うことができ、かつ上生地および下生地の一方に対し他方を交換可能な寝具カバーを提供できる。
【手続補正６】
【補正対象書類名】明細書
【補正対象項目名】００１４
【補正方法】変更
【補正の内容】
【００１４】
また、上生地および下生地を互いに分離した状態で寝具に着脱できるので、狭いスペースであっても、寝具からの着脱を容易に行える。
また、上生地および下生地の４辺の全周が、線ファスナによって開閉可能に留められている。そして、この４辺を線ファスナによって開放することにより、上生地および下生地が互いに分離される。
【手続補正７】
【補正対象書類名】明細書
【補正対象項目名】００１５
【補正方法】変更
【補正の内容】
【００１５】
また、第１の線ファスナの開閉操作と、第２の線ファスナの開閉操作とを同時に行う。これにより、寝具からの着脱を、より一層短時間のうちに行うことが可能である。
【手続補正８】
【補正対象書類名】明細書
【補正対象項目名】００１６
【補正方法】変更
【補正の内容】
【００１６】
請求項２記載の構成によれば、短辺に被覆部が設けられているので、線ファスナが利用者の顔や首に当たることを回避できる。また、寝具カバーの外側から線ファスナが見えないので、寝具カバーの見栄えを良くできる。